(57)【要約】【課題】背凭れの回動に適度の抵抗力を付与するだけでなく、背凭れに掛かる負荷の大きさに基づいて、上記抵抗力を最適なものに調整しうるようにすることにより、体重の相違や凭れる際の勢い等が相違しても、背凭れが急激に回動したり、背凭れが後傾位置に到達しなかったりすることがなく、背凭れが常時最適な速度で円滑に回動しうるようにした椅子を提供する。【解決手段】下部構成体４または座５に連係した伸縮機構３５に、背凭れ９が起立位置から後傾位置へ回動する際に、背凭れ９に抵抗力を付与する抵抗力付与手段を設け、この抵抗力付与手段を、背凭れ９の起立位置から後傾位置への回動時の回動モーメントの大きさに基づいて、付与する抵抗力を、回動モーメントが大きいほど大となるように自動的に調整する機能を備えるものとする。【選択図】  図１
2010227353.tif 000002
【特許請求の範囲】
【請求項１】
椅子の下部構成体または座に対して、背凭れを、ほぼ垂直をなす起立位置と、後方に傾斜した後傾位置との間を回動可能として支持し、かつ前記背凭れを、起立位置に向けて常時付勢するようにした椅子において、
前記下部構成体または座に、背凭れが起立位置から後傾位置へ回動する際に、背凭れに抵抗力を付与する抵抗力付与手段を設け、この抵抗力付与手段を、背凭れの起立位置から後傾位置への回動時の回動モーメントの大きさに基づいて、付与する抵抗力を、回動モーメントが大きいほど大となるように自動的に調整する機能を備えるものとしたことを特徴とする椅子。
【請求項２】
抵抗力付与手段を、背凭れが後傾位置から起立位置へ回動する際に、背凭れに、背凭れが起立位置から後傾位置へ回動する際に付与する抵抗力より小さい抵抗力を付与するものとした請求項１記載の椅子。
【請求項３】
抵抗力付与手段を、内部に筒状の流体室を備えるシリンダと、該シリンダにその軸線方向に摺動自在に嵌合されたピストンと、該ピストンに一端が連結され、かつ他端が前記シリンダの一端を貫通して、シリンダの軸線方向に延出するピストンロッドと、前記ピストンに設けられ、かつピストンによって仕切られた流体室内の１対の圧力室同士を連通するオリフィスと、前記ピストンに設けられ、流体室内の両圧力室内の圧力差に基づいて、前記オリフィスの開度を、前記圧力差が大きいほど小となるように制御する調整弁とを備える伸縮式ダンパーとした請求項１または２記載の椅子。
【発明の詳細な説明】
【技術分野】
【０００１】
本発明は、椅子の下部構成体または座に対して、背凭れを、ほぼ垂直をなす起立位置と、後方に傾斜した後傾位置との間を回動可能として支持し、かつ前記背凭れを、起立位置に向けて常時付勢するようにした椅子に関する。
【背景技術】
【０００２】
従来のこの種の椅子としては、背凭れを、ばね(ガススプリング)により、起立位置に向けて常時付勢するようにしたものがある(例えば、特許文献１および２参照)。
【先行技術文献】
【特許文献】
【０００３】
【特許文献１】特公平２−２４５２７号公報
【特許文献２】実公平４−７４６号公報
【発明の概要】
【発明が解決しようとする課題】
【０００４】
しかし、特許文献１および２に記載されているものにおいては、背凭れを起立位置に向けて付勢するばねの強さを強く設定すると、体重の軽い人が背凭れに凭れたとき、背凭れが後傾し難かったり、背凭れを起立位置に戻す際に、背凭れが急激に回動し、着座者に不快感を与えるおそれがある。
【０００５】
また、ばねの強さを弱く設定すると、体重の重い人が背凭れに凭れたとき、背凭れが急激に後傾位置へ回動し、着座者に不快感を与えたり、背凭れを起立位置に戻す際に、背凭れが戻り難いという問題がある。
【０００６】
本発明は、従来の技術が有する上記のような問題点に鑑み、背凭れの回動に適度の抵抗力を付与するだけでなく、背凭れに掛かる負荷の大きさに基づいて、上記抵抗力を最適なものに調整しうるようにすることにより、体重の相違や凭れる際の勢い等が相違しても、背凭れが急激に回動したり、背凭れが後傾位置に到達しなかったりすることがなく、背凭れが常時最適な速度で円滑に回動しうるようにした椅子を提供することを目的としている。
【課題を解決するための手段】
【０００７】
本発明によると、上記課題は、次のようにして解決される。
(１)  椅子の下部構成体または座に対して、背凭れを、ほぼ垂直をなす起立位置と、後方に傾斜した後傾位置との間を回動可能として支持し、かつ前記背凭れを、起立位置に向けて常時付勢するようにした椅子において、前記下部構成体または座に、背凭れが起立位置から後傾位置へ回動する際に、背凭れに抵抗力を付与する抵抗力付与手段を設け、この抵抗力付与手段を、背凭れの起立位置から後傾位置への回動時の回動モーメントの大きさに基づいて、付与する抵抗力を、回動モーメントが大きいほど大となるように自動的に調整する機能を備えるものとする。
【０００８】
このような構成とすると、体重の大きい人が背凭れに凭れる際や、勢いよく背凭れに凭れる際には、背凭れに作用する回動モーメントが大となるので、抵抗力付与手段から大きな抵抗力が背凭れの回動に付与され、背凭れは急激に回動することなく、適度の速度で、起立位置から後傾位置へ回動し、着座者は円滑かつ快適に背凭れに凭れることができる。
また、体重の小さい子供等が背凭れに凭れる際や、ゆっくりと背凭れに凭れる際には、背凭れに作用する回動モーメントは小さく、抵抗力付与手段からは小さな抵抗力しか背凭れの回動に付与されず、背凭れは、軽快かつ円滑に起立位置から後傾位置へ回動することができ、着座者は円滑かつ快適に背凭れに凭れることができる。
したがって、着座者の体重や着席時の勢い等が相違しても、背凭れの起立位置から後傾位置への回動速度を、互いに近づけることができる。
【０００９】
(２)  上記(１)項において、抵抗力付与手段を、背凭れが後傾位置から起立位置へ回動する際に、背凭れに、背凭れが起立位置から後傾位置へ回動する際に付与する抵抗力より小さい抵抗力を付与するものとする。
【００１０】
このような構成とすると、背凭れが後傾位置から起立位置へ回動する際に、背凭れが起立位置から後傾位置へ回動する際に付与する抵抗力より小さい抵抗力を付与するようにしてあるので、背凭れを起立位置に戻す際に、背凭れが戻り難かったり、背凭れが急激に回動し、着座者に不快感を与えたりすることがなく、背凭れを後傾位置から起立位置へゆっくりと回動させることができ、背凭れの起立位置への復帰時の円滑性および快適性を確保することができる。
【００１１】
(３)  上記(１)または(２)項において、抵抗力付与手段を、内部に筒状の流体室を備えるシリンダと、該シリンダにその軸線方向に摺動自在に嵌合されたピストンと、該ピストンに一端が連結され、かつ他端が前記シリンダの一端を貫通して、シリンダの軸線方向に延出するピストンロッドと、前記ピストンに設けられ、かつピストンによって仕切られた流体室内の１対の圧力室同士を連通するオリフィスと、前記ピストンに設けられ、流体室内の両圧力室内の圧力差に基づいて、前記オリフィスの開度を、前記圧力差が大きいほど小となるように制御する調整弁とを備える伸縮式ダンパーとする。
【００１２】
このような構成とすると、抵抗力付与手段の構成を簡素化し、安価に製造することができる。
【発明の効果】
【００１３】
本発明によると、背凭れの回動に適度の抵抗力を付与するだけでなく、背凭れに掛かる負荷の大きさに基づいて、上記抵抗力を最適なものに調整しうるようにすることにより、体重の相違や凭れる際の勢い等が相違しても、背凭れが急激に回動したり、背凭れが後傾位置に到達しなかったりすることがなく、背凭れが常時最適な速度で円滑に回動しうるようにした椅子を提供することができる。
【図面の簡単な説明】
【００１４】
【図１】本発明の一実施形態である椅子の待機状態の側面図である。
【図２】同じく、着座状態の側面図である。
【図３】同じく、リクライニング状態の側面図である。
【図４】同じく、腰部の分解斜視図である。
【図５】同じく、上部カバー、ダンパーおよび基軸を外した状態の支基の平面図である。
【図６】図５のVI−VI線端面図である。
【図７】図５のVII−VII線端面図である。
【図８】図５のVIII−VIII線端面図である。
【図９】ロータリダンパーの縦断側面図である。
【図１０】図９のＸ部の拡大縦断側面図である。
【図１１】伸縮式ダンパーの分解斜視図である。
【図１２】同じく、拡大縦断側面図である。
【図１３】図１２のXIII部の拡大縦断側面図である。
【発明を実施するための形態】
【００１５】
以下、本発明の実施形態を、添付図面を参照して説明する。  
図１〜図１３は、本発明の一実施形態である椅子を示す。
図１〜図３に示すように、この椅子は、円板のベース１の中央に脚柱２を立設し、この脚柱２の上端に支基３を固着した下部構成体４を備えている。
【００１６】
脚柱２を、ガススプリング(図示略)により、高さ調節可能とすることもある。
支基３は、平面視および側面視において、脚柱２の上端より前方に向かってほぼ三角形状に拡開する形状をなしている。
【００１７】
支基３の前端部には、座５の前下部が、左右方向の基軸６をもって枢着され、座５は、図１に示すように、後上向きに傾斜する待機位置と、図２および図３に示すように、水平か、やや後下向きに傾斜する使用位置とに、基軸６を中心として回動しうるようになっている。
【００１８】
座５の両側後部において、座５には、左右１対の肘掛け７、７が、一体的に形成されている。
各肘掛け７は、座５の後部両側から起立し、かつ後部が側面視半円弧状または扇形をなし、前部が前上方に向かって収束する側面視ほぼ前向三角形をなしている。
【００１９】
左右の肘掛け７、７における後部の曲率中心部には、上端にヘッドレスト８を設けた背凭れ９の両側下部より前方に延出する前向側片１０の前端部が、ほぼ左右方向を向く支軸１１をもって枢着され、背凭れ９は、座５および肘掛け７に対して、図２に示す起立位置と、図３に示す後傾位置とに、支軸１１を中心として回動しうるようになっている。
【００２０】
基軸６より後方における座５の下部には、ほぼ上下方向を向く左右１対の第１リンク１２、１２の上端部が、左右方向の軸１３をもって連結され、この第１リンク１２、１２の下端部は、支基３の中央部に設けた凹部３ａ(図４参照)内に配設された左右１対のベルクランク状の第２リンク１４、１４における後方を向く第１腕部１４ａ、１４ａの先端部に、左右方向の軸１５をもって連結されている。
【００２１】
各第２リンク１４は、上述の第１腕部１４ａと、上方を向く第２腕部１４ｂとが、基端部である屈曲部１４ｃにおいてほぼ直角に交わるようにした側面視Ｌ字状またはＶ字状をなし、図４に示すように、屈曲部１４ｃに設けた六角孔１４ｄに、支基３の凹部３ａを貫通する六角軸とした左右方向の回動軸１６を相対回転不能として嵌合することにより、左右の第２リンク１４、１４は、回動軸１６と一体となって支基３に対して回動しうるようになっている。
【００２２】
支基３の凹部３ａ内には、座５を待機位置に向かって付勢するゴムトーションユニット１７が、左右の第２リンク１４、１４に左右から挟まれるようにして収容されている。
このゴムトーションユニット１７は、図８に示すように、六角軸とした回動軸１６のほぼ中央部に固嵌した内筒１８と、この内筒１８と同芯状をなすようにして、支基３の凹部３ａ内に回動不能として嵌合された外筒１９と、これら内筒１８と外筒１９との間に嵌合されて、その内面および外周面が、内筒１８の外周面および外筒１９の内面にそれぞれ固着されたほぼ円筒状のトーションゴム２０とを備え、回動軸１６の回動時に、トーションゴム２０が弾性変形することにより、回動軸１６を、背凭れ９が起立位置に向けて復帰回動する方向に付勢してある。
【００２３】
図８に示すように、支基３の凹部３ａの底部中央には、上下方向を向くねじ孔２１が設けられ、このねじ孔２１に螺合した調節ねじ２２の上端に、外筒１９の外周面に突設した後方を向く突部１９ａの下面を当接し、凹部３ａの底部より上方に突出する調節ねじ２２の突出量を調節することにより、ゴムトーションユニット１７の初期荷重を調節しうるようになっている。
【００２４】
このゴムトーションユニット１７により、回動軸１６および第２リンク１４、１４は、図１における反時計回りに付勢され、さらに第１リンク１２を介して、座５が待機位置に向かって常時付勢されている。
【００２５】
図４および図６に示すように、回動軸１６の両端近傍部における左右の第２リンク１４、１４の外側には、スペーサ２３、２３と、軸受２４、２４とが嵌合され、左右の両軸受２４、２４を、支基３の凹部３ａの両側壁３ｂ、３ｂにおける上端より下向きに設けたＵ字状の受溝２５、２５に上方より落とし込み、その上方より押え片２６、２６を両側壁３ｂ、３ｂの上端にねじ止めすることにより、回動軸１６は、支基３に回動可能として、また上方に外れないようにして枢支されている。
【００２６】
図４に示すように、凹部３ａの両側壁３ｂ、３ｂを貫通した回動軸１６の両端には、角軸部１６ａ、１６ａが連設されており、この左右の角軸部１６ａ、１６ａは、支基３の凹部３ａの両側壁３ｂ、３ｂに固着した第１および第２抵抗力付与手段２７、２８における中央の回動部材２９、３０に設けた角孔３１、３２に、相対回動不能として嵌合されている。
【００２７】
第１抵抗力付与手段２７は、回動軸１６と一体の回動部材２９の両方向の回動に対して同様の抵抗力を付与する両方向作用型のディスクダンパーとし、第２抵抗力付与手段２８は、座５の待機位置から使用位置への回動時の回動モーメントの大きさに基づいて、付与する抵抗力を、上記回動モーメントが大きいほど大となるように自動的に調整する機能を備えるとともに、座５が使用位置から待機位置へ回動する際に、座５に、座５が待機位置から使用位置へ回動する際に付与する抵抗力より小さい抵抗力を付与するようにしたロータリダンパーとしてある。
【００２８】
第２抵抗力付与手段２８であるロータリダンパーの具体的な構成は、図９および図１０に示すように、支基３の側壁３ｂに固着され、かつ内部に、１対の内向き突起４１ａ、４１ａにより区画された１対の円弧状の流体室４２、４２を備えるケーシング４１と、ケーシング４１内における流体室４２、４２の曲率中心部に回動自在に設けられ、かつ上記回動部材３０と一体として形成され、座５と連動して回動するロータ４３と、このロータ４３の外周に突設され、かつ各流体室４２、４２内において回動する１対のベーン４４、４４と、各ベーン４４に設けられ、かつベーン４４によって仕切られた流体室４２内の１対の圧力室４２ａ、４２ｂ同士を連通するオリフィス４５と、各ベーン４４に設けられ、流体室４２内の両圧力室４２ａ、４２ｂ内の圧力差に基づいて、オリフィス４５の開度を、上記圧力差が大きいほど小となるように制御する調整弁４６とを備えるものとしてある。
【００２９】
調整弁４６は、図１０に示す例では、各ベーン４４におけるオリフィス４５の一方の開口縁部に、基端部が固定ねじ４７をもって止着され、かつ遊端に向かって、オリフィス４５が開口する各ベーン４４の側面から、所要の角度をもって漸次離れる多角形状をなす、全体としてはほぼ円弧状の板ばね４８からなるものとしてある。
【００３０】
この調整弁４６によると、座５が待機位置に位置しており、座５に外力が作用していないときは、板ばね４８は、図１０に実線で示すように、遊端部がベーン４４の側面から最も離れ、オリフィス４５を全開したＡ位置に位置しているが、座５が待機位置から使用位置に向かって回動する際には、それに連動して、ロータ４３が図９における時計回りに回動し、各流体室４２における圧力室４２ｂ内の圧力が圧力室４２ａ内の圧力より大となり、例えばオイルまたはエアー等の作動流体がオリフィス４５を通って、圧力室４２ｂから圧力室４２ａへ流れ、そのときの各流体室４２における圧力室４２ｂ内の圧力と圧力室４２ａ内の圧力との差が大となるにつれて、板ばね４８は、図１０に２点鎖線で示すＢ、Ｃ、Ｄの各位置のように、漸次ベーン４４の側面に接近し、その基端部寄りの部分で、オリフィス４５の開口を漸次段階的に狭め、最終的にＤ位置に到達することにより、オリフィス４５を全閉する。
【００３１】
そのときのベーン４４に掛かる抵抗力は、座５の待機位置から使用位置への回動に対する第２抵抗力付与手段２８からの抵抗力となり、その抵抗力は、座５に作用する回動モーメントが大となるにつれて、またそれに伴って、圧力室４２ｂと圧力室４２ａとの圧力差が大となり、板ばね４８が、図１０に示すＡ位置から、漸次Ｂ、Ｃ、Ｄ位置へ移行するにつれて、大となる。
【００３２】
なお、板ばね４８が上記Ｄ位置に達したとき、オリフィス４５の開口を完全に閉塞しないようにするため、オリフィス４５よりさらに小径の孔(図示略)を、板ばね４８に設けておくのが好ましい。
【００３３】
また、板ばね４８の形状を、多角形状ではなく、なだらかな円弧状としておくことにより、オリフィス４５の開口を、段階的ではなく、無段階的に開閉制御することができる。
【００３４】
座５が使用位置から待機位置へ回動する際には、それに連動して、ロータ４３が図９における反時計回りに回動し、各流体室４２における圧力室４２ｂ内の圧力が圧力室４２ａ内の圧力より大となり、作動流体がオリフィス４５を通って、圧力室４２ｂから圧力室４２ａへ流れるが、このときは、オリフィス４５を通る作動流体の流れは、調整弁４６である板ばね４８に妨げられることがないため、第２抵抗力付与手段２８からは、座５の使用位置から待機位置への回動に対して、座５が待機位置から使用位置へ回動する際に付与される際の抵抗力より小さい(その際の最小の抵抗力と同等のものも含む)抵抗力が、第２抵抗力付与手段２８から座５の回動に付与されるだけである。
【００３５】
第２抵抗力付与手段２８を、このようなロータリダンパーとしたことにより、体重の大きい人が着座する際や、勢いよく着座する際には、座５に作用する回動モーメントが大となるので、第２抵抗力付与手段２８から大きな抵抗力が座５の回動に付与され、座５は急激に回動することなく、適度の速度で、待機位置から使用位置へ回動し、着座者は円滑に着席することができる。
【００３６】
また、体重の小さい子供等が着座する際や、ゆっくりと着座する際には、座５に作用する回動モーメントは小さく、第２抵抗力付与手段２８からは小さな抵抗力しか座５の回動に付与されず、座５は、軽快かつ円滑に待機位置から使用位置へ回動することができ、着座者は円滑に着席することができる。
したがって、着座者の体重や着席時の勢い等が相違しても、座５の待機位置から使用位置への回動速度を、互いに近づけることができる。
【００３７】
さらに、第２抵抗力付与手段２８を、座５が使用位置から待機位置へ回動する際に、座５に、座５が待機位置から使用位置へ回動する際に付与する抵抗力より小さい抵抗力を付与するようにしてあるので、離席時の起立補助力を減殺することがなく、しかも、離席者を勢いよく前方に押し出すことのないように、座５を使用位置から待機位置へゆっくりと回動させることができ、離席時の円滑性および快適性を確保することができる。
【００３８】
第１および第２抵抗力付与手段２７、２８により、座５が待機位置から使用位置へ回動する際に抵抗力を付与するとともに、座５が使用位置から待機位置へ回動する際には、待機位置から使用位置への回動時の抵抗力より小さい抵抗力を付与するようにした抵抗力付与手段３３が形成されている。
【００３９】
この抵抗力付与手段３３により、座５の回動に適度の抵抗力が付与され、離着席者の体重に関係なく、座５の急激な回動が防止され、もって離着席を円滑に行うことができる。
【００４０】
また、座５が使用位置から待機位置へ回動する際の抵抗力を、座５が待機位置から使用位置へ回動する際の抵抗力より小としてあるので、離席時の起立補助力を減殺することがなく、しかも、着席時には、座の待機位置から使用位置への回動に大きい抵抗力を付与して、座がゆっくりと使用位置まで回動するようにすることができ、付勢手段であるゴムトーションユニット１７の付勢力の有効利用を図ることができるとともに、離着席の円滑性および安全性を確保することができる。
【００４１】
支基３の凹部３ａの両側壁３ｂ、３ｂには、第１および第２抵抗力付与手段２７、２８を覆う側部カバー３４が、着脱自在に装着されている。
【００４２】
左右の第２リンク１４、１４における第２腕部１４ｂ、１４ｂの先端部間には、ほぼ前後方向を向く押動杆としての伸縮機構３５の前端部が、左右方向の軸３６をもって連結されている。伸縮機構３５の後端部は、背凭れ９における座５との枢着点である支軸１１より下方の下端部における左右方向の中間部に、左右方向の軸３７をもって連結されている。
【００４３】
図１１〜図１３に示すように、伸縮機構３５は、背凭れ９を、起立位置に向けて常時付勢する付勢手段５０と、背凭れ９の起立位置から後傾位置、およびその逆方向に回動する際に、その背凭れ９の回動に抵抗力を付与する抵抗力付与手段５１とを組み合わせたものよりなっている。
【００４４】
抵抗力付与手段５１は、左右の第２リンク１４、１４における第２腕部１４ｂ、１４ｂの先端部間に軸３６をもって基端部が連結され、かつ内部に筒状の流体室５２を備えるシリンダ５３と、このシリンダ５３にその軸線方向に摺動自在に嵌合されたピストン５４と、ピストン５４に一端が連結され、かつ他端がシリンダの他端部を貫通して、シリンダ５３の軸線方向に延出し、背凭れ９の下端部に軸３７をもって連結されたピストンロッド５５と、ピストン５４に設けられ、かつピストン５４によって仕切られた流体室５２内の１対の圧力室５２ａ、５２ｂ同士を連通するオリフィス５６と、ピストン５４に設けられ、流体室５２内の両圧力室５２ａ、５２ｂ内の圧力差に基づいて、オリフィス５６の開度を、上記圧力差が大きいほど小となるように制御する調整弁５７とを備える伸縮式ダンパーとしてある。
【００４５】
調整弁５７は、第２抵抗力付与手段２８であるロータリダンパーにおける調整弁４６と同様に、ピストン５４におけるオリフィス５６の一方の開口縁部に、基端部が固定ねじ５８をもって止着され、かつ遊端に向かって、オリフィス５６が開口するピストン５４の端面から、所要の角度をもって漸次離れる多角形状をなす、全体としてはほぼ円弧状の板ばね５９からなるものとしてあり、調整弁４６と同様に作用するようにしてある。
【００４６】
すなわち、背凭れ９が起立位置に位置しており、背凭れ９に外力が作用していないときは、板ばね５９は、図１３に実線で示すように、遊端部がピストン５４の端面から最も離れ、オリフィス５６を全開したＡ位置に位置しているが、背凭れ９が起立位置から後傾位置に向かって回動する際には、それに連動して、ピストンロッド５５がシリンダ５３内に押し入れられて、ピストン５４がシリンダ５３内を前方に摺動し、流体室５２における圧力室５２ｂ内の圧力が圧力室５２ａ内の圧力より大となり、例えばオイルまたはエアー等の作動流体がオリフィス５６を通って、圧力室５２ｂから圧力室５２ａへ流れ、そのときの各流体室５２における圧力室５２ｂ内の圧力と圧力室５２ａ内の圧力との差が大となるにつれて、板ばね５９は、図１３に２点鎖線で示すＢ、Ｃ、Ｄの各位置のように、漸次ピストン５４の端面に接近し、その基端部寄りの部分で、オリフィス５６の開口を漸次段階的に狭め、最終的にＤ位置に到達することにより、オリフィス５６を全閉する。
【００４７】
そのときのピストン５４に掛かる抵抗力は、背凭れ９の起立位置から後傾位置への回動に対する抵抗力付与手段５１からの抵抗力となり、その抵抗力は、背凭れ９に作用する回動モーメントが大となるにつれて、またそれに伴って、圧力室５２ｂと圧力室５２ａとの圧力差が大となり、板ばね５９が、図１３に示すＡ位置から、漸次Ｂ、Ｃ、Ｄ位置へ移行するにつれて、大となる。
【００４８】
なお、板ばね５９が上記Ｄ位置に達したとき、オリフィス５６の開口を完全に閉塞しないようにするため、オリフィス５６よりさらに小径の孔(図示略)を、板ばね５６に設けておくのが好ましい。
【００４９】
また、板ばね５９の形状を、多角形状ではなく、なだらかな円弧状としておくことにより、オリフィス５６の開口を、段階的ではなく、無段階的に開閉制御することができる。
【００５０】
背凭れ９が後傾位置からの起立位置へ回動する際には、それに連動して、ピストン５４がシリンダ５３内を後方へ摺動し、流体室５２における圧力室５２ｂ内の圧力が圧力室５２ａ内の圧力より大となり、作動流体がオリフィス５６を通って、圧力室５２ｂから圧力室５２ａへ流れるが、このときは、オリフィス５６を通る作動流体の流れは、調整弁５７である板ばね５９に妨げられることがないため、抵抗力付与手段５１からは、背凭れ９の後傾位置から起立位置への回動に対して、背凭れ９が起立位置から後傾位置へ回動する際に付与される際の抵抗力より小さい(その際の最小の抵抗力と同等のものも含む)抵抗力が、抵抗力付与手段５１から背凭れ９の回動に付与されるだけである。
【００５１】
抵抗力付与手段５１を、このような伸縮式ダンパーとしたことにより、体重の大きい人が背凭れ９に凭れる際や、勢いよく背凭れ９に凭れる際には、背凭れ９に作用する回動モーメントが大となるので、抵抗力付与手段５１から大きな抵抗力が背凭れ９の回動に付与され、背凭れ９は急激に回動することなく、適度の速度で、起立位置から後傾位置へ回動し、着座者は円滑かつ快適に背凭れに凭れることができる。
【００５２】
また、体重の小さい子供等が背凭れ９に凭れる際や、ゆっくりと背凭れ９に凭れる際には、背凭れ９に作用する回動モーメントは小さく、抵抗力付与手段５１からは小さな抵抗力しか背凭れ９の回動に付与されず、背凭れ９は、軽快かつ円滑に起立位置から後傾位置へ回動することができ、着座者は円滑かつ快適に背凭れ９に凭れることができる。
したがって、着座者の体重や着席時の勢い等が相違しても、背凭れ９の起立位置から後傾位置への回動速度を、互いに近づけることができる。
【００５３】
さらに、背凭れ９が後傾位置からの起立位置へ回動する際には、抵抗力付与手段５１からは、小さな抵抗力が、背凭れ９の回動に付与されるだけであるので、背凭れ９を起立位置に戻す際に、背凭れ９が戻り難かったり、背凭れ９が急激に回動し、着座者に不快感を与えたりすることがなく、背凭れ９を後傾位置から起立位置へゆっくりと回動させることができ、背凭れ９の起立位置への復帰時の円滑性および快適性を確保することができる。
【００５４】
図１１および図１２に示すように、背凭れ９を起立位置に向けて常時付勢する付勢手段５０は、シリンダ５３の外周部の中間部から後方に外嵌して固着した内筒６０と、前端に形成した内向きフランジ６１ａが、内筒６０の前端に形成した外向きフランジ６０ａの後面に当接させられ、内筒６０と同心状に配設された外筒６１と、ピストンロッド５５の後端部に外嵌して固着した端板６２と、後端が端板６２に固着され、そこからピストンロッド５５と同心状なして前方に延出し、前端部が外筒６１の内面に摺動自在に嵌合された摺動筒６３と、内筒６０およびピストンロッド５５に外嵌され、かつ外筒６１および摺動筒６３に内嵌されるようにして、外筒６１の内向きフランジ６１ａと端板６２との間に縮設された圧縮コイルばね６４とを備えている。
【００５５】
伸縮機構３５は、座５の待機位置から使用位置への回動時に、第１リンク１２が下降して、第２リンク１４の第１腕部１４ａが下向きに回動し、そのときの第２リンク１４の第２腕部１４ｂの後方への回動により後方に移動させられ、背凭れ９の下端部を後方に押動して、背凭れ９をほぼ垂直状態に維持するようにする押動杆として作用するとともに、座５が使用位置に位置している状態で、背凭れ９が、起立位置から後傾位置へ回動させられる間に、背凭れ９を起立位置に向かって復帰回動させるように、背凭れ９を付勢する付勢手段としても作用する。
【００５６】
抵抗力付与手段５１は、この背凭れ９の起立位置から後傾位置、およびその逆方向への回動時に、上述したような適度の抵抗力を背凭れ９の回動に付与するものである。
【００５７】
また伸縮機構３５は、座５が、使用位置から待機位置へ回動する間には、第１リンク１２が上昇して、第２リンク１４の第１腕部１４ａが上向きに回動し、そのときの第２リンク１４の第２腕部１４ｂの前方への回動により、前方に移動させられ、背凭れ９の下端部を前方に牽引し、背凭れ９が前傾しないで、ほぼ垂直状態を維持するようにするリンクとしても作用する。
【００５８】
このように、第１リンク１２と、第２リンク１４と、この伸縮機構３５とにより、座５と背凭れ９とを、座５が待機位置から使用位置まで回動する間は、背凭れ９をほぼ垂直状態に維持するように連係する連係手段３８が形成され、また伸縮機構３５により、背凭れ９を起立位置に向かって付勢する付勢手段が形成されている。
【００５９】
支基３の上面には、伸縮機構３５が挿通するようにした前後方向に長い開口３９が設けられた上部カバー４０が、着脱自在に設けられている。
【００６０】
以上から明らかなように、この椅子においては、抵抗力付与手段５１を、背凭れ９の起立位置から後傾位置への回動時の回動モーメントの大きさに基づいて、付与する抵抗力を、回動モーメントが大きいほど大となるように自動的に調整する機能を備えるものとしてあるので、体重の相違や凭れる際の勢い等が相違しても、背凭れ９が急激に回動したり、背凭れ９が後傾位置に到達しなかったりすることがなく、背凭れ９は常時最適な速度で円滑に回動することができる。
【００６１】
本発明は、上記実施形態のみに限定されるものではなく、幾多の変形した態様での実施が可能である。
例えば、付勢手段５０に代えて、シリンダ５３の基端の内面と、ピストン５４との間に圧縮コイルばねを縮設し、この圧縮コイルばねにより、ピストン５４とピストンロッド５５とを介して、背凭れ９を起立方向に向けて付勢するようにしてもよい。
また、調整弁４６を他の構造のものとしてもよい。
【符号の説明】
【００６２】
１  ベース
２  脚柱
３  支基
３ａ凹部
３ｂ側壁
４  下部構成体
５  座
６  基軸
７  肘掛け
８  ヘッドレスト
９  背凭れ
１０  前向側片
１１  支軸
１２  第１リンク
１３  軸
１４  第２リンク
１４ａ第１腕部
１４ｂ第２腕部
１４ｃ屈曲部
１４ｄ六角孔
１５  軸
１６  回動軸
１６ａ角軸部
１７  ゴムトーションユニット(付勢手段)
１８  内筒
１９  外筒
１９ａ突部
２０  トーションゴム
２１  ねじ孔
２２  調節ねじ
２３  スペーサ
２４  軸受
２５  受溝
２６  押え片
２７  第１抵抗力付与手段(ディスクダンパー)
２８  第２抵抗力付与手段(ロータリダンパー)
２９、３０  回動部材
３１、３２  角孔
３３  抵抗力付与手段
３４  側部カバー
３５  伸縮機構(押動杆)
３６、３７  軸
３８  連係手段
３９  開口
４０  上部カバー
４１  ケーシング
４１ａ内向き突起
４２  流体室
４２ａ、４２ｂ  圧力室
４３  ロータ
４４  ベーン
４５  オリフィス
４６  調整弁
４７  固定ねじ
４８  板ばね
５０  付勢手段
５１  抵抗力付与手段
５２  流体室
５２ａ、５２ｂ  圧力室
５３  シリンダ
５４  ピストン
５５  ピストンロッド
５６  オリフィス
５７  調整弁
５８  固定ねじ
５９  板ばね
６０  内筒
６０ａ外向きフランジ
６１  外筒
６１ａ内向きフランジ
６２  端板
６３  摺動筒
６４  圧縮コイルばね
【図１】
2010227353.tif 000003
【図２】
2010227353.tif 000004
【図３】
2010227353.tif 000005
【図４】
2010227353.tif 000006
【図５】
2010227353.tif 000007
【図６】
2010227353.tif 000008
【図７】
2010227353.tif 000009
【図８】
2010227353.tif 000010
【図９】
2010227353.tif 000011
【図１０】
2010227353.tif 000012
【図１１】
2010227353.tif 000013
【図１２】
2010227353.tif 000014
【図１３】
2010227353.tif 000015